(57)【要約】【課題】  ゴルフクラブに取り付けることなく携帯に便利なボール収容具とする。【解決手段】  ボール保持部１０は、上面が開口されている半球状のカップからなり、その下部が斜めに切除されてボールが挿通可能な挿通孔１０ａが下部に形成されている。支持柄１３には伸縮自在に構成されている伸縮支持部１５が固着され、挿通孔１０ａに臨むように弾性部材１１がボール保持部１０の周縁部に固着されている。挿通孔１０ａの下方からボールを挿通させてボール保持部１０内にボールを位置させると、弾性部材１１が曲折されてボールを押圧することにより、ボールがボール保持部１０内に保持される。【選択図】  図１
2006223829.tif 000002
【特許請求の範囲】
【請求項１】
上面が開口されている半球状のカップの下部を切除することでボールが挿通可能な挿通孔が下部に形成されていると共に、上縁から細長い支持柄が延伸するよう形成されているボール保持部と、
該ボール保持部の前記支持柄に固着され、伸縮自在に構成されている伸縮支持部と、
前記挿通孔に臨むように、前記支持柄に対面する側の前記ボール保持部に周縁部が固着されている弾性部材とを備え、
前記挿通孔の下方からボールを挿通させて前記ボール保持部内に前記ボールを位置させた際に、前記弾性部材が曲折されて前記ボールを押圧することにより、前記ボールが前記ボール保持部内に保持されることを特徴とするボール収容具。
【請求項２】
前記弾性部材がリング状とされており、該リング状の一部が固着テープにより前記ボール保持部に固着されていることを特徴とする請求項１記載のボール収容具。
【請求項３】
前記ボール保持部を構成している半球状のカップの下部を斜めに切除することで前記挿通孔が前記支持柄側から対面する側に向かって上向きに傾斜して形成されていることを特徴とする請求項１記載のボール収容具。
【請求項４】
前記ボール保持部が樹脂成形により形成され、前記支持柄に対向する位置であって前記ボール保持部の内側に嵌挿部が形成されており、前記弾性部材がリング状とされ、前記嵌挿部に取り外し可能に係合する係合部を有する取付具を用いて前記弾性部材の一部を前記ボール保持部に形成されている前記嵌挿部に固着することにより、前記弾性部材が前記ボール保持部に取り外し自在に取り付けられることを特徴とする請求項１記載のボール収容具。
【請求項５】
前記嵌挿部には、長孔状の係合孔と、該係合孔の両側に嵌挿孔が形成されており、前記取付具には前記係合孔に係合可能な係合片と、該係合片の両側に前記嵌挿孔に嵌入される挿通片が形成されていることを特徴とする請求項４記載のボール収容具。
【請求項６】
前記弾性部材には、前記リング状の一部に前記係合孔とほぼ同形状の長孔と、該長孔の両側に前記嵌挿孔とほぼ同形状の円孔とが形成されていることを特徴とする請求項５記載のボール収容具。
【請求項７】
前記支持柄と前記ボール保持部とは一体に樹脂成形されており、前記支持柄と前記ボール保持部の境界部には補強用の複数のリブが形成されていることを特徴とする請求項１記載のボール収容具。
【発明の詳細な説明】
【技術分野】
【０００１】
本発明は、ゴルフ場のグリーンやカップの中のゴルフボール等のボールを腰を曲げずに収容することができるボール収容具に関する。
【背景技術】
【０００２】
従来、ゴルフのプレーヤはゴルフ場のグリーンやカップインしたゴルフボールを拾う際には、腰を曲げ前屈みの姿勢でゴルフボールを拾っている。しかしながら、老人や腰の弱い人は前に屈みにくいため、ゴルフボールを拾うことが困難であった。そこで、腰を曲げずにゴルフボール等を収容する器具が従来から提案されている。例えば、パターのグリップエンドに着脱自在に取り付けられ、弾力性のある３本の爪によりゴルフ場のグリーンやカップの中のゴルフボールを掴むようにしたボール・キャッチャーが知られている。また、先端が開くようにテーパ状に形成され先端部に２つの切り込みが形成されていると共に、先端の開口部にゴルフボールの落下を防止するための２つの落下止めの突起が形成され、掴み取ったゴルフボールを指を入れて押し出すための押し出し孔が形成されて、ゴルフクラブのグリップに取り付けられるようにしたゴルフボール取出装置も知られている。
【特許文献１】特開平１０−５７５２８号公報
【特許文献２】特開２００１−３１４５３１
【発明の開示】
【発明が解決しようとする課題】
【０００３】
このような従来のゴルフボールの収容具においては、腰を曲げることなくボールを拾うことができるものの、パター等のゴルフクラブのグリップに取り付けて使用するようにされていることから、収容具が装着されたゴルフクラブが使いづらくなるという問題点があった。この場合、ゴルフクラブとして使用しない専用のシャフトに収容部を取り付けることが考えられるが、シャフトの長さとして１ｍ前後の長さが必要とされることから、ゴルフクラブに加えてゴルフクラブとほぼ同じ長さの収容具を常時携帯するには不便であるという問題点があった。
【０００４】
そこで、本発明は、ゴルフクラブに取り付けることなく携帯に便利なボール収容具を提供することを目的としている。
【課題を解決するための手段】
【０００５】
上記目的を達成するために、本発明のボール収容具は、上面が開口されている半球状のカップの下部を切除することでボールが挿通可能な挿通孔が下部に形成されていると共に、上縁から細長い支持柄が延伸するよう形成されているボール保持部と、該ボール保持部の支持柄に固着され、伸縮自在に構成されている伸縮支持部と、挿通孔に臨むようボール保持部に周縁部が固着されている弾性部材とを備えることを最も主要な特徴としている。
【発明の効果】
【０００６】
本発明によれば、上面が開口されている半球状のカップの下部を切除することでボールが挿通可能な挿通孔が下部に形成されていると共に、上縁から細長い支持柄が延伸するよう形成されているボール保持部と、該ボール保持部の支持柄に固着され、伸縮自在に構成されている伸縮支持部と、挿通孔に臨むようボール保持部に周縁部が固着されている弾性部材とを備えている。これにより、ゴルフクラブに取り付けない専用のボール収容具としても、携帯時には伸縮支持部を収縮して短くすることができることから、短くした伸縮支持部をズボンの後ポケット等に入れることにより、手で把持することなく携帯することができるようになると共に手が空くことからゴルフプレイに支障を来すことなく携帯することができるようになる。
【発明を実施するための最良の形態】
【０００７】
ゴルフクラブに取り付けることなく携帯に便利なボール収容具を提供するという目的を、上面が開口されている半球状のカップの下部を切除することでボールが挿通可能な挿通孔が下部に形成されていると共に、上縁から細長い支持柄が延伸するよう形成されているボール保持部と、該ボール保持部の支持柄に固着され、伸縮自在に構成されている伸縮支持部と、挿通孔に臨むようボール保持部に周縁部が固着されている弾性部材とを備えることで実現した。
【０００８】
本発明の第１の実施例のボール収容具の全体構成を図１ないし図３に示す。ただし、図１は本発明にかかる第１の実施例のボール収容具を使用する際の構成を示す側面図であり、図２は本発明にかかる第１の実施例のボール収容具を使用する際の構成を示す正面図であり、図３は本発明にかかる第１の実施例のボール収容具を使用する際の構成を示す上面図である。
これらの図に示すように第１の実施例のボール収容具１は、大きく分けてボール保持部１０と、ボール保持部１０を支持する伸縮支持部１５とから構成されている。ボール保持部１０は、上面が開口されている半球状のカップから構成されており、この半球状のカップの下部が斜めに切除されて略円形の挿通孔１０ａが形成されている。この挿通孔１０ａに臨むようにリング状の弾性部材１１がボール保持部１０の周縁部に固着されている。
【０００９】
ボール保持部１０の上縁からは所定の長さの細長い矩形状の支持柄１３が延伸されている。ボール保持部１０は、金属板を加工して作成されたり合成樹脂を成形することにより作成されており、支持柄１３は金属板を加工して作成されてボール保持部１０の上縁部にリベットや溶接あるいはロウ付けにより一体化されるよう固着されたり、あるいは、支持柄１３が合成樹脂製とされる場合はボール保持部１０の成形時に一体に成形されて作成される。この支持柄１３の断面形状を、ボール保持部１０の略円形とされる上縁の形状に合わせるよう湾曲するようにしてもよい。なお、支持柄１３をボール保持部１０に固着する際には、ボール保持部１０の内側あるいは外側の曲面に支持柄１３の下部を沿わせてリベットや溶接あるいはロウ付けにより固着する。
ボール保持部１０に形成されている挿通孔１０ａは支持柄１３が設けられている側から対面する側に向かって上向きに傾斜して形成されている。そして、対面する側のボール保持部１０に弾性部材１１の周縁部が固着テープ１２により固着されて、図示するように弾性部材１１が挿通孔１０ａに臨んでいる。弾性部材１１は、図１０（ａ）（ｂ）に示すように所定の厚みを有する略円形のリング状とされており、弾力性の顕著なゴムやエラストマー製とされている。なお、図１０（ａ）は弾性部材１１の構成を示す平面図であり、図１０（ｂ）はその側面図である。また、固着テープ１２はビニルテープ等の柔軟な合成樹脂テープや布テープ、金属箔や薄い金属板からなるテープとされている。
【００１０】
ボール保持部１０から延伸している支持柄１３には、伸縮支持部１５の下部が固着されている。図示する例では、熱収縮チューブ１４により伸縮支持部１５の第１段１５ａが支持柄１３に固着されているが、ネジ止めや接着あるいは金属バンド等の固着部材を用いて両者を固着するようにしてもよい。伸縮支持部１５はロッドアンテナのようにテレスコープ状に構成されており、例えば第１段１５ａ、第２段１５ｂ、第３段１５ｃ、第４段１５ｄの４段構成とされており、第４段１５ｄの先端には摘み部１５ｅが設けられている。この伸縮支持部１５は、第１段１５ａから第４段１５ｄに向かうにつれて径が順次細くされて、それぞれ下の段に収納可能とされている。図１ないし図３に示す使用状態においては、伸縮支持部１５は伸張状態とされている。伸縮支持部１５は、摘み部１５ｅを把持してその軸方向に力を加えることにより伸張・収縮させることができ、伸縮支持部１５が伸張された際には、例えば約１ｍ前後の長さとされ、収縮された際には約２５ｃｍ前後の長さとされる。ただし、この長さに限るものではなく必要に応じて１段当たりの長さや段数を増加／減少させて伸張時の長さおよび収縮時の長さを任意の長さとすることができる。なお、伸縮支持部１５は例えば真鍮やステンレス等の金属製、あるいは強固な合成樹脂製とされている。
【００１１】
伸縮支持部１５を携帯に便利なように収縮した状態のボール収容具１の構成を図４および図５に示す。ただし、図４は本発明にかかる第１の実施例のボール収容具１を携帯する際の構成を示す側面図であり、図５は本発明にかかる第１の実施例のボール収容具１を携帯する際の構成を示す正面図である。なお、本発明にかかる第１の実施例のボール収容具を携帯する際の構成を示す上面図は図３と同様になる。
これらの図に示すように、伸縮支持部１５を収縮すると、その全長が短くなりボール収容具１を逆さにして収縮された伸縮支持部１５をズボンの後ポケット等に入れて携帯することができるようになる。これにより、ボール収容具１を常時携帯できると共に両手が空くことからボール収容具１を常時携帯してもゴルフプレイに支障を来すことがなくなる。なお、図４および図５に示すように伸縮支持部１５を収縮した際には支持柄１３が伸縮支持部１５の上に突出して、支持柄１３により伸縮支持部１５が保護されるようになる。すなわち、支持柄１３に固着されている収縮された伸縮支持部１５をポケット等に入れて携帯している際に、伸縮支持部１５に横から応力が印加されても支持柄１３に保護されて伸縮支持部１５が折損することが防止される。
【００１２】
次に、ボール収容具１を使用してゴルフボールを収容する際の説明を図６を参照して説明する。
ボール１６はグリーンのカップ１００内にあるものとする。カップ１００内のボール１６をボール収容具１を使用して収容する際には、プレイヤは図４および図５に示す収縮されたボール収容具１を取り出し、伸縮支持部１５を伸張させて図１ないし図３に示す状態とする。そして、ボール収容具１における伸縮支持部１５の摘み部１５ｅとその近傍を手で把持してボール保持部１０を図６に示すようにカップ１００内に挿入していく。すると、カップ１００内のボール１６がボール保持部１０の下部に至り、ボール１６は弾性部材１１の弾性力に抗して挿通孔１０ａを通過するようになって、ボール保持部１０内に収納されるようになる。
【００１３】
このようにして、ボール１６がボール保持部１０内に収納された状態を図７ないし図９に示す。ただし、図７は本発明にかかる第１の実施例のボール収容具１にボール１６が収容された状態を示す側面図であり、図８は本発明にかかる第１の実施例のボール収容具１にボール１６が収容された状態を示す正面図であり、図９は図７の一部の断面を拡大して示す図である。
ボール１６がボール保持部１０内に収納される際に、ボール１６は挿通孔１０ａの下方から挿入されることから、弾性部材１１は挿通孔１０ａを通過していくボール１６により上側に曲折されて行くようになる。そして、ボール１６が挿通孔１０ａを通過してボール保持部１０内に収容されるようになると、図７ないし図９に示すように曲折された弾性部材１１はボール１６の側周面に当接してボール１６を支持柄１３側へ押圧するようになる。これにより、ボール１６は図９に示すようにボール保持部１０の曲面とされた内周面と曲折された弾性部材１１により支持されるようになる。従って、ボール１６はその自重により挿通孔１０ａから抜け出て落下することが防止される。
【００１４】
このように、本発明にかかるボール収容具１においては、ボール１６を収容する際に腰を屈めることなくほぼ直立した姿勢でボール１６を収容することができるようになる。また、カップ１００に入っているボール１６を収容する際においてもボール保持部１０の形状が下方に向かって絞った形状とされていることから、カップ１００の縁に当接してもカップ１００を傷め難くなる。さらに、水中に沈んでいるボール１６もボール収容具１を用いて収容できるようになる。
このようにしてボール保持部１０に収容されたボール１６を取り出す際には、挿通孔１０ａ内に下から指を差し入れるようにしてボール１６を下方から押すことにより、弾性部材１１の押圧力に抗してボール１６を上方から取り出すことができる。あるいは、ボール１６の上方から指でボール１６を下方へ押すことにより、弾性部材１１の押圧力に抗して挿通孔１０ａの内側から外側へ向かって通過させてボール１６を取り出すことができる。
【００１５】
次に、本発明の第２の実施例のボール収容具２の全体構成を図１３に示す。ただし、図１３は本発明にかかる第２の実施例のボール収容具を使用する際の構成を示す側面図である。
この図に示すように第２の実施例のボール収容具２は、ボール保持部２０の構成が異なり他の構成は第１の実施例のボール収容具１と同様とされている。そこで、ボール保持部２０の構成についてのみ説明すると、ボール保持部２０は、上面が開口された半球状のカップから構成されており、この半球状のカップの下部が水平に切除されて略円形の挿通孔２０ａが形成されている。この挿通孔２０ａに臨むようにリング状の弾性部材１１がボール保持部２０の周縁部に固着されている。また、伸縮支持部は第１の実施例のボール収容具１と同様の構成とされており、伸張された際には、例えば約１ｍ前後の長さとされ、収縮された際には約２５ｃｍ前後の長さとされる。ただし、この長さに限るものではなく必要に応じて１段当たりの長さや段数を増加／減少させて伸張時の長さおよび収縮時の長さを任意の長さとすることができる。
【００１６】
このように構成されている第２の実施例のボール収容具２を使用して、ボールを収容する際には、ユーザは伸縮支持部１５が収縮されているボール収容具２を取り出し、伸縮支持部１５を伸張させて図１３に示す状態とする。そして、ボール収容具２における伸縮支持部１５の摘み部１５ｅとその近傍を手で把持してボール保持部２０の挿通孔２０ａにボールを挿入していく。すると、ボールは弾性部材１１の弾性力に抗して挿通孔２０ａを通過してボール保持部２０内に収納されるようになる。この場合、ボールがボール保持部２０内に収納される際に、ボールは挿通孔２０ａの下方から挿入されることから、弾性部材１１は挿通孔２０ａを通過していくボールにより上側に曲折されて行くようになる。そして、ボールが挿通孔２０ａを通過してボール保持部２０内に収容されるようになると、曲折された弾性部材１１はボールの側周面に当接してボールを支持柄１３側へ押圧するようになる。これにより、ボールはボール保持部２０の曲面とされた内周面と曲折された弾性部材１１により支持されるようになる。従って、ボールはその自重により挿通孔２０ａから抜け出て落下することが防止される。
【００１７】
このように、本発明にかかる第２の実施例のボール収容具２においても、ボールを収容する際に腰を屈めることなくほぼ直立した姿勢でボールを収容することができるようになる。また、カップに入っているボールを収容する際においてもボール保持部２０の形状が下方に向かって絞った形状とされていることから、カップの縁に当接してもカップを傷め難くなる。さらに、水中に沈んでいるボールもボール収容具２を用いて収容できるようになる。
このようにしてボール保持部２０に収容されたボールを取り出す際には、挿通孔２０ａ内に下から指を差し入れるようにしてボールを下方から押すことにより、弾性部材１１の押圧力に抗してボールを上方から取り出すことができる。あるいは、ボールの上方から指でボールを下方へ押すことにより、弾性部材１１の押圧力に抗して挿通孔２０ａの内側から外側へ向かって通過させてボールを取り出すことができる。
【００１８】
次に、本発明の第３の実施例のボール収容具３の全体構成を図１４に示す。ただし、図１４は本発明にかかる第３の実施例のボール収容具を使用する際の構成を示す側面図である。
この図に示すように第３の実施例のボール収容具３は、大きく分けてボール保持部３０と、ボール保持部３０を支持する伸縮支持部１５とから構成されている。ボール保持部３０は、上面が開口されている半球状のカップから構成されており、この半球状のカップの下部が斜めに切除されて略円形の挿通孔３０ａが形成されている。この挿通孔３０ａに臨むようにリング状の弾性部材３１がボール保持部３０の周縁部に固着されている。ボール保持部３０の上縁からは所定の長さの細長い形状の支持柄３３が延伸されている。ボール保持部３０と支持柄３３とは、合成樹脂を成形することにより一体に作成されている。支持柄３３とボール保持部３０との境界部には補強用の第１リブ３３ａが形成されている。ボール保持部３０に形成されている挿通孔３０ａは支持柄３３が設けられている側から対面する側に向かって上向きに傾斜して形成されている。そして、対面する側のボール保持部３０の上部内側に弾性部材３１の周縁部が取り付けられて、弾性部材３１が挿通孔３０ａに臨んでいる。この場合、後述するようにボール保持部３０の上部内側には嵌挿部が形成されており、この嵌挿部に弾性部材３１の周縁部が取付具により取り外し可能に取り付けられる。
【００１９】
ボール保持部３０から延伸している支持柄３３には、伸縮支持部１５の下部が固着されている。支持柄３３は伸縮支持部１５を抱持できるように断面が湾曲して形成されている。使用時には伸張され、持ち運ぶ際には収縮することのできる伸縮支持部１５の構成は第１の実施例のボール収容具１における伸縮支持部１５と同様の構成とされているので、その説明は省略する。図示する例では、この伸縮支持部１５の第１段１５ａが熱収縮チューブ３４により支持柄３３に固着されているが、ネジ止めや接着あるいは金属バンド等の固着部材を用いて両者を固着するようにしてもよい。図１４に示す使用状態においては、伸縮支持部１５は伸張状態とされている。なお、図示するように伸縮支持部１５はボール保持部３０に対して垂直から外側に若干傾けられて固着されている。これにより、ボール保持部３０にボールを収納しやすくなる。
【００２０】
第３の実施例のボール収容具３は、弾性部材３１をボール保持部３０に対して取り外しすることができるように取り付けたことを特徴としている。これは、弾性部材３１は弾力性の顕著なゴムやエラストマー製とされているが、ボール収容具３を繰り返し使用した際や長期間使用した際には弾性部材３１の弾性力に劣化が生じる場合がある。このような場合に、弾性部材３１を交換することができれば元の作用を同等の作用を奏させることができるからである。
そこで、弾性部材３１をボール保持部３０に対して取り外し可能に取り付ける構成について以下に説明する。
【００２１】
ボール保持部３０と弾性部材３１と取付具３５との分解組立図を斜視図で図１５に示し、ボール保持部３０と弾性部材３１と取付具３５とを組み立てた状態を斜視図で図１６に示す。
これらの図についての説明を行う前に、ボール保持部３０、弾性部材３１および取付具３５の詳細構成について図１７ないし図２４を参照して説明する。図１７はボール保持部３０の構成を示す側面図であり、図１８はボール保持部３０の構成を示す背面図であり、図１９はボール保持部３０の構成を示す平面図である。また、図２０はボール保持部３０の構成を示す正面図であり、図２１はボール保持部３０の構成を示すＡ−Ａ線で切断した断面図であり、図２２はボール保持部３０の構成を示すＢ−Ｂ線で切断した断面図である。さらに、図２３（ａ）は弾性部材３１の構成を示す平面図であり、図２３（ｂ）は弾性部材３１の構成を示す側面図である。さらにまた、図２４（ａ）は取付具３５の構成を示す正面図であり、図２４（ｂ）は取付具３５の構成を示す平面図であり、図２４（ｃ）は取付具３５の構成を示す側面図である。
【００２２】
図１７ないし図２０に示すように、ボール保持部３０は、上面が開口されている半球状のカップから構成されており、この半球状のカップの下部が斜めに切除されて略円形の挿通孔３０ａが形成されている。ボール保持部３０の上縁からは所定の長さの細長い形状の支持柄３３が延伸されている。支持柄３３とボール保持部３０との境界部には補強用の一対の第１リブ３３ａと、一対の第１リブ３３ａの間に第２リブ３３ｂが支持柄３３の内側に形成されている。ボール保持部３０に形成されている挿通孔３０ａは支持柄３３が設けられている側から対面する側に向かって上向きに傾斜して形成されており、支持柄３３に対面する側のボール保持部３０の上部内側に嵌挿部３０ｂが形成されている。嵌挿部３０部には、中央に矩形の長孔状の係合孔３０ｃと、この係合孔３０ｃの両側に一対の円形の嵌挿孔３０ｄが形成されている。この係合孔３０ｃの内部には段差部３０ｅが形成されており、段差部３０ｅを形成するために係合孔３０ｃの下半分の横幅の長さを若干長く形成している。なお、第２リブ３３ｂの作用により伸縮支持部１５はボール保持部３０に対して垂直から外側に若干傾けられて固着されるようになる。
【００２３】
図２３（ａ）（ｂ）に拡大して示すように、弾性部材３１は弾力性の顕著なゴムやエラストマーを用いて形成された所定の厚みを有する略円形のリング部３１ａを有し、リング部３１ａの一部に細長い矩形の長孔３１ｂと、長孔３１ｂの両側に一対の円孔３１ｃとが形成されている。長孔３１ｂは、嵌挿部３０ｂに形成されている係合孔３０ｃとほぼ同形状とされ、円孔３１ｃは嵌挿部３０ｂに形成されている嵌挿孔３０ｄとほぼ同形状とされている。
また、図２４（ａ）（ｂ）（ｃ）に拡大して示すように、取付具３５は樹脂成形により作成されリングの一部を切り取った形状の本体部３５ａを有し、本体部３５ａの下面のほぼ中央に断面が矩形の一対の係合片３５ｂが突出するよう形成され、係合片３５ｂの両側から断面が略円形の一対の挿通片３５ｃが突出するよう形成されている。係合片３５ｂの下部はくさび状に形成されて段部が形成されている。
【００２４】
図１５に戻り、以上のように構成されているボール保持部３０の嵌挿部３０ｂに弾性部材３１の載置する。この際に、嵌挿部３０ｂに形成されている係合孔３０ｃとリング部３１ａに形成されている長孔３１ｂとの位置を合わせるようにすると共に、嵌挿孔３０ｄと円孔３１ｃとの位置を合わせるようにする。そして、取付具３５の係合片３５ｂを弾性部材３０ｄにおけるリング部３１ａの長孔３１ｂの位置に合わせると共に、挿通片３５ｃを円孔３１ｃの位置に合わせて取付具３５をボール保持部３０の嵌挿部３０ｂに挿入していく。これにより、取付具３５の係合片３５ｂが弾性部材３０ｄの長孔３１ｂを挿通してボール保持部３０の係合孔３０ｃ内に嵌入されていくと共に、挿通片３５ｃが嵌挿孔３０ｄを挿通してボール保持部３０の嵌挿孔３０ｄ内に嵌入されていくようになる。この場合、一対の挿通片３５ｃの作用により取付具３５をボール保持部３０にガタつくことなく固着することができ、これにより弾性部材３１がボール保持部３０に確実に固着されるようになる。取付具３５をボール保持部３０の嵌挿部３０ｂに挿入し終わると、係合片３５ｂの先端部に形成されているくさび状の上の段部が係合孔３０ｃ内に形成されている段差部３０ｅに係合して、取付具３５は嵌挿部３０ｂから抜け出ないように固着される。これにより、図１６に示すように弾性部材３１が取付具３５によりボール保持部３０に固着される。この場合、挿通孔３０ａに臨むようにリング状の弾性部材３１がボール保持部３０の周縁部に固着される。なお、係合片３５ｂの先端部と係合孔３０ｃ内の段差部との係合を解除することにより、取付具３５と弾性部材３１とをボール保持部３０から取り外して弾性部材３１を交換することができるようになる。交換する際には弾性部材３１と共に取付具３５も交換するようにしても良い。
【００２５】
次に、第３実施例のボール収容具３を使用してゴルフボールを収容する際の説明を図２５ないし図２７を参照して説明する。
カップ内等にあるボール１６をボール収容具３を使用して収容する際には、プレイヤは伸縮支持部１５が収縮された状態のボール収容具３を取り出し、伸縮支持部１５を伸張させて図１４に示す状態とする。そして、ボール収容具３における伸縮支持部１５の摘み部１５ｅとその近傍を手で把持してボール保持部１０を図２５に示すようにボール１６に近づけていく。すると、ボール１６がボール保持部３０の下部に至り、さらにボール収容具３をボール１６の方向へ進めると図２６に示すようにボール１６は弾性部材３１の弾性力に抗して挿通孔３０ａを通過するようになって、ボール保持部３０内に収納されていくようになり、最終的に図２７に示すようにボール１６は弾性部材３１の弾性力の作用でボール保持部３０のカップ内に保持されるようになる。
【００２６】
この場合、ボール１６がボール保持部３０内に収納される際に、ボール１６は挿通孔３０ａの下方から挿入されることから、弾性部材３１は挿通孔３０ａを通過していくボール１６により上側に曲折されて行くようになる。そして、ボール１６が挿通孔３０ａを通過してボール保持部３０内に収容されるようになると、図２７に示すように曲折された弾性部材３１はボール１６の側周面に当接してボール１６を支持柄３３側へ押圧するようになる。これにより、ボール１６は図２７に示すようにボール保持部３０の曲面とされた内周面と曲折された弾性部材３１により支持され、ボール１６はその自重により挿通孔３０ａから抜け出て落下することが防止される。
【００２７】
このように、本発明の第３実施例のボール収容具３においても、ボール１６を収容する際に腰を屈めることなくほぼ直立した姿勢でボール１６を収容することができるようになる。また、カップに入っているボール１６を収容する際においてもボール保持部３０の形状が下方に向かって絞った形状とされていることから、カップの縁に当接してもカップを傷め難くなる。さらに、水中に沈んでいるボール１６もボール収容具３を用いて収容できるようになる。このようにしてボール保持部３０に収容されたボール１６を取り出す際には、ボール１６の上方から指でボール１６を下方へ押すことにより、弾性部材３１の押圧力に抗して挿通孔３０ａの内側から外側へ向かって通過させてボール１６を取り出すことができる。
【００２８】
以上説明した本発明にかかる第１ないし３の実施例のボール収容具１ないし３において、弾性部材は円形のリング状に限らず、図１１に示すように所定の厚みを有する楕円形のリング状とした弾性部材１１ａとしてもよい。さらに、図１２に示すように所定の厚みを有し一方が曲面状とされ他方がまっすぐなリング状の弾性部材１１ｂとしてもよい。これらの弾性部材１１ａ，１１ｂは、弾力性の顕著なゴムやエラストマー製とされる。また、伸縮支持部１５の先端に設けられている摘み部１５ｅに磁石を内蔵させることができる。磁石を内蔵させると、ボール収容具１ないし３を逆さに手で把持することにより、下に置いてあるゴルフクラブの金属製のシャフトやアイアンヘッドを摘み部１５ｅの磁石により吸着させて、腰を屈めることなくほぼ直立した姿勢でゴルフクラブを収容することができるようになる。さらに、ティーに強磁性体の金属片が付いたひもを装着しておくことにより、この金属片を摘み部１５ｅの磁石により吸着させて、腰を屈めることなくほぼ直立した姿勢でティーを拾うこともできるようになる。
【産業上の利用可能性】
【００２９】
以上の説明ではゴルフボールのボール収容具としたが、ボール保持部の大きさをボールの大きさに合わせて替えることにより、ゴルフボールに限らずテニスボールやゲートボールを収容するボール収容具とすることもできる。
【図面の簡単な説明】
【００３０】
【図１】本発明にかかる第１の実施例のボール収容具を使用する際の構成を示す側面図である。
【図２】本発明にかかる第１の実施例のボール収容具を使用する際の構成を示す正面図である。
【図３】本発明にかかる第１の実施例のボール収容具を使用する際の構成を示す上面図である。
【図４】本発明にかかる第１の実施例のボール収容具を携帯する際の構成を示す側面図である。
【図５】本発明にかかる第１の実施例のボール収容具を携帯する際の構成を示す側面図である。
【図６】本発明にかかる第１の実施例のボール収容具を使用してゴルフボールを収容する説明を行うための図である。
【図７】本発明にかかる第１の実施例のボール収容具にボールが収容された状態を示す側面図である。
【図８】本発明にかかる第１の実施例のボール収容具にボールが収容された状態を示す正面図である。
【図９】本発明にかかる第１の実施例のボール収容具にボールが収容された状態を示す側面図の一部を拡大して示す断面図である。
【図１０】本発明にかかる実施例のボール収容具における弾性部材の一例の構成を示す平面図および側面図である。
【図１１】本発明にかかる実施例のボール収容具における弾性部材の他の例の構成を示す平面図である。
【図１２】本発明にかかる実施例のボール収容具における弾性部材のさらに他の例の構成を示す平面図である。
【図１３】本発明にかかる第２の実施例のボール収容具を使用する際の構成を示す側面図である。
【図１４】本発明にかかる第３の実施例のボール収容具を使用する際の構成を示す側面図である。
【図１５】本発明の第３の実施例のボール収容具におけるボール保持部と弾性部材と取付具との斜視図で示す分解組立図である。
【図１６】本発明の第３の実施例のボール収容具におけるボール保持部と弾性部材と取付具とを組み立てた斜視図である。
【図１７】本発明の第３の実施例のボール収容具におけるボール保持部の構成を示す側面図である。
【図１８】本発明の第３の実施例のボール収容具におけるボール保持部の構成を示す背面図である。
【図１９】本発明の第３の実施例のボール収容具におけるボール保持部の構成を示す平面図である。
【図２０】本発明の第３の実施例のボール収容具におけるボール保持部の構成を示す正面図である。
【図２１】本発明の第３の実施例のボール収容具におけるボール保持部の構成を示すＡ−Ａ線で切断した断面図である。
【図２２】本発明の第３の実施例のボール収容具におけるボール保持部の構成を示すＢ−Ｂ線で切断した断面図である。
【図２３】本発明の第３の実施例のボール収容具における弾性部材の構成を拡大して示す平面図および側面図である。
【図２４】本発明の第３の実施例のボール収容具における取付具の構成を拡大して示す正面図、平面図および側面図である。
【図２５】本発明にかかる第３の実施例のボール収容具を使用してゴルフボールを収容する際の状態を示す図である。
【図２６】本発明にかかる第３の実施例のボール収容具を使用してゴルフボールを収容する際のさらに進んだ状態を示す図である。
【図２７】本発明にかかる第３の実施例のボール収容具を使用してゴルフボールが収容された状態を示す図である。
【符号の説明】
【００３１】
１  ボール収容具、２  ボール収容具、３  ボール収容具、１０  ボール保持部、１０ａ  挿通孔、１１  弾性部材、１１ａ  弾性部材、１１ｂ  弾性部材、１２  固着テープ、１３  支持柄、１４  熱収縮チューブ、１５  伸縮支持部、１５ａ  第１段、１５ｂ  第２段、１５ｃ  第３段、１５ｄ  第４段、１５ｅ  摘み部、１６  ボール、２０  ボール保持部、２０ａ  挿通孔、３０  ボール保持部、３０  嵌挿部、３０ａ  挿通孔、３０ｂ  嵌挿部、３０ｃ  係合孔、３０ｄ  嵌挿孔、３０ｄ  弾性部材、３０ｅ  段差部、３１  弾性部材、３１ａ  リング部、３１ｂ  長孔、３１ｃ  円孔、３３  支持柄、３３ａ  第１リブ、３３ｂ  第２リブ、３４  熱収縮チューブ、３５  取付具、３５ａ  本体部、３５ｂ  係合片、３５ｃ  挿通片、１００  カップ
【図１】
2006223829.tif 000003
【図２】
2006223829.tif 000004
【図３】
2006223829.tif 000005
【図４】
2006223829.tif 000006
【図５】
2006223829.tif 000007
【図６】
2006223829.tif 000008
【図７】
2006223829.tif 000009
【図８】
2006223829.tif 000010
【図９】
2006223829.tif 000011
【図１０】
2006223829.tif 000012
【図１１】
2006223829.tif 000013
【図１２】
2006223829.tif 000014
【図１３】
2006223829.tif 000015
【図１４】
2006223829.tif 000016
【図１５】
2006223829.tif 000017
【図１６】
2006223829.tif 000018
【図１７】
2006223829.tif 000019
【図１８】
2006223829.tif 000020
【図１９】
2006223829.tif 000021
【図２０】
2006223829.tif 000022
【図２１】
2006223829.tif 000023
【図２２】
2006223829.tif 000024
【図２３】
2006223829.tif 000025
【図２４】
2006223829.tif 000026
【図２５】
2006223829.tif 000027
【図２６】
2006223829.tif 000028
【図２７】
2006223829.tif 000029